(57)【特許請求の範囲】
【請求項１】
複数の線路に設置されている計器用変圧器で検出された電圧と前記各線路に設置された遮断器の状態と前記各線路に設置された断路器の状態とをディジタルデータに変換する保護制御端末からのデータを用いて母線電圧を取得するディジタル形の保護制御装置であって、
前記電圧に関する電圧データと前記遮断器の状態に関するデータと前記断路器の状態に関するデータとに基づいて、前記電圧データを前記母線電圧の模擬値である模擬母線電圧として選択する模擬母線電圧選択部と、
前記電圧データと前記模擬母線電圧選択部で選択された模擬母線電圧とが同期状態にあるか否かの検定処理を行い、同期状態にあることを示す情報を前記保護制御端末へ出力する同期検定部と、
を備え、
前記模擬母線電圧選択部は、前記電圧データが到達した順で当該電圧データに対応する線路に設置された前記遮断器および前記断路器が閉じた状態であるか否かを判断し、前記遮断器および前記断路器が閉じた状態のとき、対応する線路の前記電圧データを模擬母線電圧として選択することを特徴とする保護制御装置。
【請求項２】
前記同期検定部は、模擬母線電圧を受信した場合、前記遮断器が開いた状態および前記断路器が閉じた状態のときに、前記検定処理を行うことを特徴とする請求項１に記載の保護制御装置。
【請求項３】
前記同期検定部は、模擬母線電圧を受信した場合、遮断器投入要求の送信元の保護制御端末に対応する線路に配設された前記遮断器が開いた状態、かつ、この線路に配設された前記断路器が閉じた状態のときに、前記検定処理を行うことを特徴とする請求項１に記載の保護制御装置。
【発明の詳細な説明】
【技術分野】
【０００１】
本発明は、変電所の母線に母線電圧測定用の計器用変圧器が設置されていないとき、または母線電圧測定用の計器用変圧器が使用できない状態においても、母線電圧を取得して動作するディジタル形の保護制御装置に関する。
【背景技術】
【０００２】
従来の保護制御装置は、コストダウンを図るため母線電圧取得用の計器用変圧器の代わりに、母線から分岐する線路に設置された計器用変圧器の二次側出力を取り込み、この出力を当該線路の遮断器条件や断路器条件を元に、アナログ的に突き合わせる（各計器用変圧器の二次側出力同士を接続する）などして、母線電圧を選択取得している（例えば下記非特許文献１）。
【先行技術文献】
【非特許文献】
【０００３】
【非特許文献１】“Supply  and  Installation  Substation  Automation  Systems  PM2-0008-WBX”、Metropolitan  Electricity  Authority（Klongmahasawad(KMS)  Substation説明図）
【発明の概要】
【発明が解決しようとする課題】
【０００４】
しかしながら、計器用変圧器の二次側出力をディジタル出力とする保護制御端末と、この保護制御端末からのディジタル出力を用いて保護演算を行う保護制御装置とからなるディジタル形保護制御システムでは、保護制御端末からディジタルデータが出力されるため、アナログシステムで使用されていたような各計器用変圧器の二次側出力を単純に突き合わせて母線電圧を取得するという手法を用いることができないという課題がある。【０００５】
本発明は、上記に鑑みてなされたものであって、保護制御端末から出力されるディジタルデータを用いて母線電圧を取得することが可能なディジタル形の保護制御装置を得ることを目的とする。
【課題を解決するための手段】
【０００６】
上述した課題を解決し、目的を達成するために、本発明は、複数の線路に設置されている計器用変圧器で検出された電圧と前記各線路に設置された遮断器の状態と前記各線路に設置された断路器の状態とをディジタルデータに変換する保護制御端末からのデータを用いて母線電圧を取得するディジタル形の保護制御装置であって、前記電圧に関する電圧データと前記遮断器の状態に関するデータと前記断路器の状態に関するデータとに基づいて、前記電圧データを前記母線電圧の模擬値である模擬母線電圧として選択する模擬母線電圧選択部と、前記電圧データと前記模擬母線電圧選択部で選択された模擬母線電圧とが同期状態にあるか否かの検定処理を行い、同期状態にあることを示す情報を前記保護制御端末へ出力する同期検定部と、を備え、前記模擬母線電圧選択部は、前記電圧データが到達した順で前記遮断器および前記断路器が閉じた状態であるか否かを判断し、前記遮断器および前記断路器が閉じた状態のとき、模擬母線電圧を選択することを特徴とする。
【発明の効果】
【０００７】
この発明によれば、保護制御端末から出力されるディジタルデータを用いて母線電圧を取得することができるという効果を奏する。
【図面の簡単な説明】
【０００８】
【図１】図１は、本発明の実施の形態１〜３にかかる保護制御装置を中心とする遮断器周辺の回路構成図である。
【図２】図２は、図１に示される保護制御装置の構成図である。
【図３】図３は、本発明の実施の形態１にかかる模擬母線電圧選択部による模擬母線電圧選択処理のフローチャートである。
【図４】図４は、本発明の実施の形態１にかかる同期検定部による同期検定処理のフローチャートである。
【図５】図５は、本発明の実施の形態２にかかる模擬母線電圧選択部による模擬母線電圧選択処理のフローチャートである。
【図６】図６は、本発明の実施の形態３にかかる保護制御装置の構成図である。
【図７】図７は、本発明の実施の形態３にかかる同期検定部による同期検定処理のフローチャートである。
【図８】図８は、本発明の実施の形態１〜３にかかる保護制御装置の他の適用例を説明するための第１の図である。
【図９】図９は、本発明の実施の形態１〜３にかかる保護制御装置の他の適用例を説明するための第２の図である。
【発明を実施するための形態】
【０００９】
以下に、本発明にかかる保護制御装置の実施の形態を図面に基づいて詳細に説明する。なお、この実施の形態によりこの発明が限定されるものではない。
【００１０】
実施の形態１．
図１は、本発明の実施の形態１〜３にかかる保護制御装置を中心とする遮断器周辺の回路構成図であり、図２は、図１に示される保護制御装置９の構成図である。なお、以下の説明では、保護制御端末８−１〜８−ｎ全てに共通の事項を説明する場合、これらを総称して保護制御端末８と称する。また、線路３−１〜３−ｎは、線路３と称し、遮断器４−１〜４−ｎは、遮断器４と称し、断路器５−１〜５−ｎは、断路器５と称し、断路器６−１〜６−ｎは、断路器６と称し、計器用変圧器７−１〜７−ｎは、計器用変圧器７と称する。
【００１１】
図１に示されるディジタル形保護制御システムは、主たる構成として、保護制御装置９と複数の保護制御端末８とを有して構成されている。図１に示される母線１と線路３との間には、母線１側から順に、断路器５と遮断器（ＣＢ）４とが設置されている。母線２と線路３との間には、母線２側から順に、断路器６と遮断器４が設置されている。断路器５は、母線１と遮断器４との間に設置され、断路器６は、母線２と遮断器４との間に設置されている。線路３には線路電圧取得用の計器用変圧器７が接続されている。
【００１２】
遮断器４は、外部からの投入指示を受けた場合において、線路電圧データＶＬ１〜ＶＬｎ、断路器５の状態を示す第１の断路器データＬＳ５−１〜ＬＳ５−ｎ、断路器６の状態を示す断路器データＬＳ６−ＬＳ１〜６−ｎ、遮断器４の状態を示す遮断器データＣＢ１〜ＣＢｎが、一定条件（後述する）を満たしているときに投入される（「入」状態となる）。なお、以下の説明では、線路電圧データＶＬ１〜ＶＬｎは、電圧データＶＬと称し、第１の断路器データＬＳ５−１〜ＬＳ５−ｎは、第１の断路器データＬＳ５と称し、断路器データＬＳ６−１〜ＬＳ６−ｎは、断路器データＬＳ６と称し、遮断器データＣＢ１〜ＣＢｎは、遮断器データＣＢと称する。
【００１３】
保護制御端末８は、計器用変圧器７で検出された線路電圧ＶＬ１〜ＶＬｎと第１の断路器データＬＳ５と断路器データＬＳ６と遮断器データＣＢとを入力として、これらのデータに基づいて電圧データＶＬを出力する。
【００１４】
図２は、本発明の実施の形態１にかかる保護制御装置９の構成図である。保護制御装置９は、主たる構成として、模擬母線電圧選択部９１と同期検定部９２とを有して構成されている。
【００１５】
模擬母線電圧選択部９１は、各保護制御端末８から出力された電圧データＶＬの中から正常な値（母線１、２の電圧を正しく示しているもの）を選択するために用いられる。実施の形態１にかかる模擬母線電圧選択部９１には線路３の優先度が予め設定されており、模擬母線電圧選択部９１は、保護制御端末８からのデータとこの優先度とに基づいて、電圧データＶＬの中から模擬母線電圧Ｖ１または模擬母線電圧Ｖ２を選択し、選択された模擬母線電圧Ｖ１、Ｖ２を同期検定部９２へ出力する。なお、優先度は、電圧データＶＬから模擬母線電圧Ｖ１、Ｖ２を決定するために必要な情報であり、例えば、母線１に線路３が５回線接続されている場合、この５回線の内、模擬母線電圧Ｖ１の検出元として選択される線路３を決定するためのものである。優先度は、例えば、線路３の設置時期に応じて設定され、設置時期が早いものほど優先度を高く設定しておく。ただし、優先度の設定方法はこれに限定されなく、他のどのような方法で設定しても構わない。
【００１６】
同期検定部９２は、電圧データＶＬを入力とし、これらのデータに基づいて、模擬母線電圧Ｖ１と電圧データＶＬとが一定の関係を満たしている同期状態にあるか否か（遮断器４を再投入しても問題ない状態にあるかどうか）を判定すると共に、模擬母線電圧Ｖ２と電圧データＶＬとが一定の関係を満たしている同期状態にあるか否かを判定する。この同期判定は、例えば、模擬母線電圧Ｖ１（Ｖ２）と電圧データＶＬの周波数、位相、および電圧値のそれぞれの差が規定範囲内のとき、一定条件を満たした状態（同期状態）と判断され、同期状態にあることを示す情報Ｃ１〜Ｃｎが同期検定部９２から保護制御端末８へ送信される。この情報Ｃ１〜Ｃｎを受信した保護制御端末８は、外部から投入指示を受信した後、同期検定部９２からの情報Ｃ１〜Ｃｎを受信したときに投入指示を受け入れ、投入指令に対応する遮断器４を投入する。
【００１７】
以下、実施の形態１にかかる保護制御装置９の動作を説明する。図３は、本発明の実施の形態１にかかる模擬母線電圧選択部９１による模擬母線電圧選択処理のフローチャートである。模擬母線電圧選択部９１は、電圧データＶＬを全て受信したか否かを判定し、全ての電圧データＶＬを受信していない場合（ステップＳ１０，Ｎｏ）、全ての電圧データＶＬを受信するまで受信処理を継続し、全ての電圧データＶＬを受信した場合（ステップＳ１０，Ｙｅｓ）、ステップＳ１１の処理を実行する。
【００１８】
ステップＳ１１において、模擬母線電圧選択部９１は、処理対象の線路を示す変数ｉに「１」を設定し、現在母線１の電圧として設定されている模擬母線電圧Ｖ１に係る線路３の優先度Ｐｒｉ１へ総線路数Ｎを設定し、現在母線２の電圧として設定されている模擬母線電圧Ｖ２に係る線路３の優先度Ｐｒｉ２へ総線路数Ｎを設定し、模擬母線電圧Ｖ１に「０」を設定し、模擬母線電圧Ｖ２に「０」を設定する。
【００１９】
次に、模擬母線電圧選択部９１は、変数ｉが総線路数Ｎ以下か否かを判定し、変数ｉが総線路数Ｎを超えた場合（ステップＳ１２，Ｎｏ）、模擬母線電圧選択処理を終了し、変数ｉが総線路数Ｎ以下の場合（ステップＳ１２，Ｙｅｓ）、ステップＳ１３の処理を行う。
【００２０】
ステップＳ１３において、模擬母線電圧選択部９１は、電圧データＶＬ（ｉ）が異常および／またはＣＢ（ｉ）が開状態の場合（ステップＳ１３，Ｎｏ）、ステップＳ２０の処理を行い、電圧データＶＬ（ｉ）が正常およびＣＢ（ｉ）が閉状態の場合（ステップＳ１３，Ｙｅｓ）、ステップＳ１４の処理を行う。
【００２１】
ステップＳ１４において、模擬母線電圧選択部９１は、変数ｉの値に対応する線路３の断路器５（ＬＳ５（ｉ））が閉状態であるか否かを確認し、ＬＳ５（ｉ）が開状態の場合（ステップＳ１４，Ｎｏ）、ステップＳ１７の処理を行い、ＬＳ５（ｉ）が閉状態の場合（ステップＳ１４，Ｙｅｓ）、ステップＳ１５の処理を行う。
【００２２】
ステップＳ１５において、模擬母線電圧選択部９１は、変数ｉに対応する線路３の優先度Ｐｒｉ(ｉ)とＰｒｉ１の値とを比較し、優先度Ｐｒｉ(ｉ)の値がＰｒｉ１の値より大きい場合（ステップＳ１５，Ｎｏ）、優先度Ｐｒｉ(ｉ)が低いと判断してステップＳ１７の処理を行い、優先度Ｐｒｉ(ｉ)の値がＰｒｉ１の値以下の場合（ステップＳ１５，Ｙｅｓ）、優先度Ｐｒｉ(ｉ)が高いと判断し、ステップＳ１６の処理を行う。
【００２３】
ステップＳ１６において、模擬母線電圧選択部９１は、優先度Ｐｒｉ(ｉ)を優先度Ｐｒｉ１に設定すると共に、電圧データＶＬ（ｉ）を模擬母線電圧Ｖ１として設定する。ステップＳ１７において、模擬母線電圧選択部９１は、変数ｉの値に対応する線路３の断路器（ＬＳ６（ｉ））が閉状態であるか否かを確認し、ＬＳ６（ｉ）が開状態の場合（ステップＳ１７，Ｎｏ）、ステップＳ２０の処理を行い、ＬＳ６（ｉ）が閉状態の場合（ステップＳ１７，Ｙｅｓ）、ステップＳ１８の処理を行う。
【００２４】
ステップＳ１８において、模擬母線電圧選択部９１は、優先度Ｐｒｉ(ｉ)とＰｒｉ２の値とを比較し、優先度Ｐｒｉ(ｉ)の値がＰｒｉ２の値より大きい場合（ステップＳ１８，Ｎｏ）、優先度Ｐｒｉ(ｉ)が低いと判断し、ステップＳ２０の処理を行い、優先度Ｐｒｉ(ｉ)の値がＰｒｉ２の値以下の場合（ステップＳ１８，Ｙｅｓ）、優先度Ｐｒｉ(ｉ)が高いと判断し、ステップＳ１９の処理を行う。
【００２５】
ステップＳ１９において、模擬母線電圧選択部９１は、優先度Ｐｒｉ(ｉ)を優先度Ｐｒｉ２に設定すると共に、電圧データＶＬ（ｉ）を模擬母線電圧Ｖ２として設定する。さらに、ステップＳ２０において、模擬母線電圧選択部９１は、変数ｉを１インクリメントして再度ステップＳ１２の処理を行う。そして、模擬母線電圧選択部９１で選択された模擬母線電圧Ｖ１、Ｖ２は、同期検定部９２に送信される。
【００２６】
なお、図３のフローでは、断路器５および断路器６の開閉状態を確認する順序として、断路器５から断路器６の順で確認しているが、断路器６から断路器５の順でもよい。また、模擬母線電圧選択部９１の動作は、図３に示されるフローに限定するものでなく、例えば、全線路３の機器状態の確認順序として、線路番号順の代わりに優先度の高い順（優先度１、２など）で行うなどの方法でもよい。
【００２７】
図４は、本発明の実施の形態１にかかる同期検定部９２による同期検定処理のフローチャートである。同期検定部９２は、模擬母線電圧選択部９１からの模擬母線電圧Ｖ１、Ｖ２を受信したか否かを判定し、模擬母線電圧Ｖ１、Ｖ２を受信していない場合（ステップＳ５１，Ｎｏ）、模擬母線電圧Ｖ１、Ｖ２を受信するまで模擬母線電圧受信処理を継続し、模擬母線電圧Ｖ１、Ｖ２を受信した場合（ステップＳ５１，Ｙｅｓ）、ステップＳ５２の処理を実行する。
【００２８】
ステップＳ５２において、同期検定部９２は、処理対象の線路を示す変数ｉに「１」を設定する。また、ステップＳ５３において、同期検定部９２は、変数ｉが総線路数Ｎ以下か否かを判定し、変数ｉが総線路数Ｎを超えた場合（ステップＳ５３，Ｎｏ）、同期検定処理を終了し、変数ｉが総線路数Ｎ以下の場合（ステップＳ５３，Ｙｅｓ）、ステップＳ５４の処理を行う。
【００２９】
ステップＳ５４において、同期検定部９２は、変数ｉの値に対応する線路３の電圧データＶＬ（ｉ）が正常であることを確認すると共に、変数ｉの値に対応する線路３に配設されたＣＢ（ｉ）が開状態であるか否かを確認する。同期検定部９２は、電圧データＶＬ（ｉ）が異常および／またはＣＢ（ｉ）が閉状態の場合（ステップＳ５４，Ｎｏ）、ステップＳ５９の処理を行い、電圧データＶＬ（ｉ）が正常およびＣＢ（ｉ）が開状態の場合（ステップＳ５４，Ｙｅｓ）、ステップＳ５５の処理を行う。
【００３０】
ステップＳ５５において、同期検定部９２は、変数ｉの値に対応する線路３の断路器（ＬＳ５（ｉ））が閉状態であるか否かを確認し、ＬＳ５（ｉ）が閉状態の場合（ステップＳ５５，Ｙｅｓ）、ステップＳ５６の処理を行い、ＬＳ５（ｉ）が開状態の場合（ステップＳ５６，Ｎｏ）、ステップＳ５７の処理を行う。
【００３１】
ステップＳ５６において、同期検定部９２は、模擬母線電圧Ｖ１および電圧データＶＬ（ｉ）との同期検定を行う。具体的には、同期検定部９２は、模擬母線電圧Ｖ１と電圧データＶＬとの周波数、位相、および電圧値のそれぞれの差が規定範囲内のとき、同期状態と判断して情報Ｃ１〜Ｃｎを保護制御端末８へ出力し、ステップＳ５９の処理を行う。
【００３２】
ステップＳ５７において、同期検定部９２は、変数ｉの値に対応する線路３の断路器（ＬＳ６（ｉ））が閉状態であるか否かを確認し、ＬＳ６（ｉ）が閉状態の場合（ステップＳ５７，Ｙｅｓ）、ステップＳ５８の処理を行い、ＬＳ６（ｉ）が開状態の場合（ステップＳ５７，Ｎｏ）、ステップＳ５９の処理を行う。
【００３３】
ステップＳ５８において、同期検定部９２は、模擬母線電圧Ｖ２および電圧データＶＬ（ｉ）の同期検定を行う。具体的には、同期検定部９２は、模擬母線電圧Ｖ２と電圧データＶＬとの周波数、位相、および電圧値のそれぞれの差が規定範囲内のとき、同期状態と判断して情報Ｃ１〜Ｃｎを保護制御端末８へ出力し、ステップＳ５９の処理を行う。最後に、ステップＳ５９において、同期検定部９２は、変数ｉを１インクリメントして再度ステップＳ５３の処理を行う。なお、図４のフローでは、断路器５および断路器６の開閉状態を確認する順序として、断路器５から断路器６の順で確認しているが、断路器６から断路器５の順でもよい。
【００３４】
このように実施の形態１にかかる模擬母線電圧選択部９１には各線路３の優先度が設定され、模擬母線電圧選択部９１は、遮断器４および断路器５、６が閉じた状態のとき、この優先度が最上位の線路３に対応する模擬母線電圧Ｖ１、Ｖ２を選択し、また実施の形態１にかかる同期検定部９２は、模擬母線電圧Ｖ１、Ｖ２を受信した場合、遮断器４が開いた状態および断路器５、６が閉じた状態のときに、同期検定処理を行うようにしたので、母線１、２に母線電圧測定用の計器用変圧器が設置されていない場合や、この計器用変圧器が使用できない状態において、線路電圧ＶＬ１〜ＶＬｎをディジタル出力とする保護制御端末８と、保護制御端末８からのディジタル出力を用いて保護演算を行う保護制御装置９とで構成されたディジタル形保護制御システムにおいても、母線電圧を取得することが可能である。従って、母線１、２に母線電圧を測定する計器用変圧器を削減することができコスト低減を図ることが可能である。さらに、保護制御装置９で模擬母線電圧選択処理と同期検定処理とが行われるため、例えば、各保護制御端末８がそれぞれ同期検定処理を行う場合に比べて、各保護制御端末８の演算負荷を軽減することが可能である。
【００３５】
実施の形態２．
実施の形態１の保護制御装置９は、全ての電圧データＶＬを受信した後に、優先度を用いて模擬母線電圧選択処理を行うように構成されている。実施の形態２にかかる保護制御装置９は、保護制御端末８から送信されたデータで最も早く到達した電圧データＶＬを用いて模擬母線電圧選択処理を行うように構成されている。なお、同期検定処理は、実施の形態１と同様であるので説明を割愛する。以下、実施の形態１と同一部分には同一符号を付してその説明を省略し、ここでは異なる部分についてのみ述べる。
【００３６】
図５は、本発明の実施の形態２にかかる模擬母線電圧選択部９１による模擬母線電圧選択処理のフローチャートである。模擬母線電圧選択部９１は、現在母線１の電圧として設定されている模擬母線電圧Ｖ１に「０」を設定し、現在母線２の電圧として設定されている模擬母線電圧Ｖ２に「０」を設定し、模擬母線電圧Ｖ１を選択済みであるか否かを示すＦｌａｇ１に「０」（未選択）を設定し、模擬母線電圧Ｖ２を選択済みであるか否かを示すＦｌａｇ２に「０」を設定する（ステップＳ３１）。
【００３７】
ステップ３２において、模擬母線電圧選択部９１は、保護制御端末８からの電圧データＶＬの何れかを受信したか否かを判定し、電圧データＶＬの何れかを受信していない場合（ステップＳ３２，Ｎｏ）、電圧データＶＬを受信するまで受信処理を継続し、電圧データＶＬを受信した場合（ステップＳ３２，Ｙｅｓ）、ステップＳ３３の処理を実行する。
【００３８】
ステップＳ３３において、模擬母線電圧選択部９１は、電圧データＶＬ、遮断器データＣＢ、第１の断路器データＬＳ５、および第２の断路器データＬＳ６を格納する。
【００３９】
ステップＳ３４において、模擬母線電圧選択部９１は、電圧データＶＬが正常であることを確認すると共に、遮断器データＣＢが閉状態であるか否かを確認し、電圧データＶＬが異常および／または遮断器データＣＢが開状態の場合（ステップＳ３４，Ｎｏ）、ステップＳ４１の処理を行い、電圧データＶＬ（ｉ）が正常および遮断器データＣＢが閉状態の場合（ステップＳ３４，Ｙｅｓ）、ステップＳ３５の処理を行う。
【００４０】
ステップＳ３５において、模擬母線電圧選択部９１は、電圧データＶＬを選択済みか否か判断し、Ｆｌａｇ１が「１」の場合（ステップＳ３５，Ｎｏ）、ステップＳ３８の処理を実行し、Ｆｌａｇ１が「０」の場合（ステップＳ３５，Ｙｅｓ）、ステップＳ３６の処理を実行する。
【００４１】
ステップＳ３６において、模擬母線電圧選択部９１は、断路器（ＬＳ５）が閉状態であるか否かを確認し、ＬＳ５が開状態の場合（ステップＳ３６，Ｎｏ）、ステップＳ３８の処理を行い、ＬＳ５が閉状態の場合（ステップＳ３６，Ｙｅｓ）、ステップＳ３７の処理を行う。
【００４２】
ステップＳ３７において、模擬母線電圧選択部９１は、ステップＳ３２で受信された線路３の電圧データＶＬを模擬母線電圧Ｖ１として設定すると共に、Ｆｌａｇ１に「１」（選択済）を設定する。
【００４３】
ステップＳ３８において、模擬母線電圧選択部９１は、電圧データＶＬを選択済みか否か判断し、Ｆｌａｇ２が「１」の場合（ステップＳ３８，Ｎｏ）、ステップＳ４１の処理を実行し、Ｆｌａｇ２が「０」の場合（ステップＳ３８，Ｙｅｓ）、ステップＳ３９の処理を実行する。
【００４４】
ステップＳ３９において、模擬母線電圧選択部９１は、断路器（ＬＳ６）が閉状態であるか否かを確認し、ＬＳ６が開状態の場合（ステップＳ３９，Ｎｏ）、ステップＳ４１の処理を行い、ＬＳ６が閉状態の場合（ステップＳ３９，Ｙｅｓ）、ステップＳ４０の処理を行う。
【００４５】
ステップＳ４０において、模擬母線電圧選択部９１は、ステップＳ３２で受信された線路３の電圧データＶＬを模擬母線電圧Ｖ２として設定すると共に、Ｆｌａｇ２に「１」（選択済）を設定する。
【００４６】
ステップＳ４１において、模擬母線電圧選択部９１は、Ｆｌａｇ１およびＦｌａｇ２の値が共に「１」であるか否かを判断し、Ｆｌａｇ１および／またはＦｌａｇ２の値が共に「０」の場合（ステップＳ４１，Ｎｏ）、ステップＳ３２の処理を行い、Ｆｌａｇ１およびＦｌａｇ２の値が共に「１」の場合（ステップＳ４１，Ｙｅｓ）、処理を終了する。
【００４７】
なお、図５のフローは、断路器５または断路器６の開閉状態を確認した後にＦｌａｇ１、２の状態を確認しているが、Ｆｌａｇ１、２の状態を確認した後に断路器５または断路器６の開閉状態を確認するようにしてもよい。
【００４８】
以上に説明したように、実施の形態２にかかる保護制御装置９は、模擬母線電圧選択部が、保護制御端末８からの電圧データＶＬが到達した順で遮断器４および断路器５、６が閉じた状態であるか否かを判断し、遮断器４および断路器５、６が閉じた状態のとき、模擬母線電圧Ｖ１、Ｖ２を選択するようにしたので、実施の形態１に比べ、より早く母線電圧を選択することができ、保護制御装置９自体の処理負担を軽減することが可能である。
【００４９】
実施の形態３．
実施の形態１の保護制御装置９は、変数ｉを変更することによって全ての線路３に関して同期検定処理を行うように構成されている。実施の形態３の保護制御装置９は、実施の形態１と同様の模擬母線電圧選択処理を行った後、遮断器投入要求Ｄ１〜Ｄｎの送信元の保護制御端末８に対応する線路３のみ同期検定処理を行い、その保護制御端末８に情報Ｃ１〜Ｃｎを送信するように構成されている。遮断器投入要求Ｄ１〜Ｄｎは、例えば、操作者が遮断器４−１を再投入する際に、操作者による手動投入要求に応じて保護制御端末８−１から保護制御装置９に送信されるデータである。以下、実施の形態１と同一部分には同一符号を付してその説明を省略し、ここでは異なる部分についてのみ述べる。
【００５０】
図６は、本発明の実施の形態３にかかる保護制御装置９の構成図である。図２に示される保護制御装置９と異なる点は、保護制御端末８から出力された遮断器投入要求Ｄ１〜Ｄｎが保護制御装置９に入力されている点である。
【００５１】
図７は、本発明の実施の形態３にかかる同期検定部９２による同期検定処理のフローチャートである。同期検定部９２は、模擬母線電圧選択部９１からの模擬母線電圧Ｖ１、Ｖ２を全て受信したか否かを判定し、模擬母線電圧Ｖ１、Ｖ２を受信していない場合（ステップＳ７１，Ｎｏ）、模擬母線電圧Ｖ１、Ｖ２を受信するまで模擬母線電圧受信処理を継続し、模擬母線電圧Ｖ１、Ｖ２を受信した場合（ステップＳ７１，Ｙｅｓ）、ステップＳ７２の処理を実行する。
【００５２】
ステップＳ７２において、同期検定部９２は、遮断器投入要求Ｄ１〜Ｄｎを受信したか否かを判断し、遮断器投入要求Ｄ１〜Ｄｎを受信していない場合（ステップＳ７２，Ｎｏ）、同期検定処理を終了し、遮断器投入要求Ｄ１〜Ｄｎを受信した場合（ステップＳ７２，Ｙｅｓ）、ステップＳ７３の処理を実行する。
【００５３】
ステップＳ７３において、同期検定部９２は、遮断器投入要求Ｄ１〜Ｄｎの送信元の保護制御端末８に対応する線路３の電圧データＶＬが正常であることを確認すると共に、この線路３に配設されたＣＢが開状態であるか否かを確認する。同期検定部９２は、電圧データＶＬが異常および／またはＣＢが閉状態の場合（ステップＳ７３，Ｎｏ）、同期検定処理を終了し、電圧データＶＬが正常およびＣＢが開状態の場合（ステップＳ７３，Ｙｅｓ）、ステップＳ７４の処理を行う。
【００５４】
ステップＳ７４において、同期検定部９２は、遮断器投入要求Ｄ１〜Ｄｎの送信元の保護制御端末８に対応する線路３の断路器（ＬＳ５）が閉状態であるか否かを確認する。同期検定部９２は、ＬＳ５が閉状態の場合（ステップＳ７４，Ｙｅｓ）、ステップＳ７５の処理を行い、ＬＳ５が開状態の場合（ステップＳ７４，Ｎｏ）、ステップＳ７６の処理を行う。
【００５５】
ステップＳ７５において、同期検定部９２は、模擬母線電圧Ｖ１および電圧データＶＬとの同期検定を行い、同期状態と判断した場合、遮断器投入要求Ｄ１〜Ｄｎの送信元の保護制御端末８に情報Ｃ１〜Ｃｎを出力し、同期検定処理を終了する。
【００５６】
ステップＳ７６において、同期検定部９２は、遮断器投入要求Ｄ１〜Ｄｎの送信元の保護制御端末８に対応する線路３の断路器（ＬＳ６）が閉状態であるか否かを確認する。同期検定部９２は、ＬＳ６が閉状態の場合（ステップＳ７６，Ｙｅｓ）、ステップＳ７７の処理を行い、ＬＳ６が開状態の場合（ステップＳ７６，Ｎｏ）、同期検定処理を終了する。
【００５７】
ステップＳ７７において、同期検定部９２は、模擬母線電圧Ｖ２および電圧データＶＬとの同期検定を行い、同期状態と判断した場合、遮断器投入要求Ｄ１〜Ｄｎの送信元の保護制御端末８に情報Ｃ１〜Ｃｎを出力し、同期検定処理を終了する。なお、図７のフローでは、断路器５および断路器６の開閉状態を確認する順序として、断路器５から断路器６の順で確認しているが、断路器６から断路器５の順でもよい。
【００５８】
以上に説明したように、実施の形態３にかかる保護制御装置９は、同期検定部９２が、模擬母線電圧Ｖ１、Ｖ２を受信した場合、遮断器投入要求（Ｄ１〜Ｄｎ）の送信元の保護制御端末８に対応する線路３に配設された遮断器４が開いた状態、かつ、この線路３に配設された断路器５、６が閉じた状態のときに、同期検定処理を行い、その保護制御端末８に情報Ｃ１〜Ｃｎを送信するように構成されているため、実施の形態１のように全ての線路３に関して同期検定を行う場合に比べて、保護制御装置９の処理負荷が軽減されると共に、各保護制御端末８に送信される情報Ｃ１〜Ｃｎの送信量が実施の形態１に比べて軽減されるため、保護制御端末８と保護制御装置９との間に設けられているネットワークの負荷を軽減することも可能である。特に、実施の形態３の保護制御装置９は、保護リレーで再閉路を行う代わりに手動で遮断器４を投入する変電所等に好適である。
【００５９】
なお、上記説明では、実施の形態２の保護制御装置は、先着優先による模擬母線電圧選択処理を行い、実施の形態３の保護制御装置は、遮断器投入要求Ｄによる同期検定処理を行うように構成されている。本発明の実施の形態にかかる保護制御装置９は、これに限定されるものではなく、実施の形態２の模擬母線電圧選択処理と実施の形態３の同期検定処理とを組み合わせるように構成してもよい。このように構成すれば、実施の形態２、３の効果を得ることが可能である。
【００６０】
以上に説明したように、実施の形態１〜３にかかる保護制御装置９は、複数の線路３に設置されている計器用変圧器７で検出された電圧と各線路３に設置された遮断器４の状態と各線路３に設置された断路器５、６の状態とをディジタルデータに変換する保護制御端末８からのデータを用いて母線電圧を取得するディジタル形の保護制御装置９であって、電圧に関する電圧データ（ＶＬ）と遮断器４の状態に関するデータ（ＣＢ）と断路器５、６の状態に関するデータ（ＬＳ）とに基づいて、電圧データ（ＶＬ）を母線電圧の模擬値である模擬母線電圧Ｖ１、Ｖ２として選択する模擬母線電圧選択部９１と、電圧データ（ＶＬ）と模擬母線電圧Ｖ１、Ｖ２とが同期状態にあるか否かの検定処理を行い、同期状態にあることを示す情報Ｃ１〜Ｃｎを保護制御端末８へ出力する同期検定部９２と、を備えるようにしたので、保護制御端末８から出力されるディジタルデータを用いて母線電圧を取得することができる。
【００６１】
なお、実施の形態１〜３にかかる処理フローは、１−１／２ＣＢ母線方式等の変電所構成にも適用可能である。また、上記説明では、本発明の実施の形態１〜３にかかる保護制御装置９を二重母線に適用した例を説明したが、本発明は単母線の場合にも適用可能である。また、実施の形態１〜３にかかる保護制御装置９は、本発明の内容の一例を示すものであり、更なる別の公知技術と組み合わせることも可能であるし、本発明の要旨を逸脱しない範囲で、一部を省略する等、変更して構成することも可能であることは無論である。
【００６２】
なお、実施の形態１〜３にかかる保護制御装置９は、以下の遮断器周辺の構成にも適用可能である。図８は、本発明の実施の形態１〜３にかかる保護制御装置の他の適用例を説明するための第１の図である。図１に示される保護制御端末８は、情報Ｃ１〜Ｃｎを受信したときに投入指示を受け入れ、投入条件が成立したときに遮断器４を投入するが、図８に示されるＩＥＤ（Intelligent Electric Device）１０−１〜１０−ｎは、保護制御端末８の代わりに保護制御装置９からの情報Ｃ１〜Ｃｎを受信し、投入条件が成立したときに遮断器４を投入する。図９は、本発明の実施の形態１〜３にかかる保護制御装置の他の適用例を説明するための第２の図である。図８と図９の相違点は、保護制御端末８と保護制御装置９との間の通信形態であり、図９では、保護制御端末８から出力されたデータが１つのネットワークを介して保護制御装置９に取り込まれる。このように、保護制御端末８から送信されたデータに基づいて生成された情報Ｃ１〜ＣｎをＩＥＤ１０−１〜１０−ｎに入力するように構成した場合でも、実施の形態１〜３と同様の効果を得ることが可能である。
【産業上の利用可能性】
【００６３】
以上のように、本発明は、主に保護リレーのマージングユニットに適用可能であり、特に、サンプリング周期が不連続の場合でも保護を継続することができる発明として有用である。
【符号の説明】
【００６４】
１、２  母線
３−１、３−２、３−ｎ  線路
４−１、４−２、４−ｎ  遮断器
５−１、５−２、５−ｎ、６−１、６−２、６−ｎ  断路器
７−１、７−２、７−ｎ  計器用変圧器
８−１、８−２、８−ｎ  保護制御端末
９  保護制御装置
１０−１、１０−２、１０−ｎ  ＩＥＤ１０−１、１０−２、１０−ｎ
Ｃ１〜Ｃｎ  情報
ＣＢ１、ＣＢ２、ＣＢｎ  遮断器データ
Ｄ１、Ｄｎ  遮断器投入要求
ＬＳ５−１、ＬＳ５−２、ＬＳ５−ｎ  第１の断路器データ
ＬＳ６−１、ＬＳ６−２、ＬＳ６−ｎ  第２の断路器データ
Ｖ１、Ｖ２  模擬母線電圧
ＶＬ１、ＶＬ２、ＶＬｎ  線路電圧データ
【図１】
0005383931.tif 000002
【図２】
0005383931.tif 000003
【図３】
0005383931.tif 000004
【図４】
0005383931.tif 000005
【図５】
0005383931.tif 000006
【図６】
0005383931.tif 000007
【図７】
0005383931.tif 000008
【図８】
0005383931.tif 000009
【図９】
0005383931.tif 000010